(57)【要約】【課題】鉄塔の腕金への取付作業を容易に行えるようにした架空送電線作業用接地板を提供する。【解決手段】架空送電線作業用接地板１は、鉄塔２の腕金３に取り付けられ、架空送電線４にアース線２０を介して接続されるようになっている。この架空送電線作業用接地板１は、架空送電線４の一端を支持する電線プレート５を腕金３の先端に固定する複数のボルト・ナット６を使用して、電線プレート５と共に腕金３の先端に締め付け固定されるようになっている。また、架空送電線作業用接地板１には、腕金３の外方に張り出す接地端子取付部１０が形成されている。そして、接地端子取付部１０には、アース線２０の一端を固定する接地端子８が取り付けられている。【選択図】図３
2020114131.tif 000002
【特許請求の範囲】
【請求項１】
鉄塔の腕金に取り付けられ、架空送電線にアース線を介して接続される架空送電線作業用接地板において、
前記架空送電線の一端を支持する電線プレートを前記腕金の先端に固定する複数のボルト・ナットを使用して、前記電線プレートと共に前記腕金の先端に締め付け固定される、
ことを特徴とする架空送電線作業用接地板。
【請求項２】
前記腕金の外方に張り出す接地端子取付部が形成され、
前記接地端子取付部には、前記アース線の一端を固定する接地端子が取り付けられる、
ことを特徴とする請求項１に記載の架空送電線作業用接地板。
【請求項３】
前記架空送電線の一端側に配置された電線設置部材との接触を避ける折り曲げ部分が前記接地端子取付部に形成された、
ことを特徴とする請求項２に記載の架空送電線作業用接地板。
【請求項４】
前記腕金に固定される腕金固定部と前記接地端子取付部とを有し、
前記腕金固定部には、一対のボルト・ナットのボルトの軸部を係合するボルト穴が間隔を開けて一対形成され、
前記ボルト穴は、前記一対のボルト・ナットの配列方向に沿って延びる長穴であり、
一対の前記ボルト穴の一方は、前記一対のボルト穴の他方の長手方向一端に係合された前記ボルトの軸部を中心に前記腕金固定部が回動させられた際に、前記ボルトの軸部を前記ボルト穴の長手方向一端側に案内するボルト案内溝が接続され、
前記ボルト案内溝は、一端が前記一対のボルト穴の一方の長手方向一端側に開口し、他端が前記腕金固定部の側方に開口する、
ことを特徴とする請求項２又は３に記載の架空送電線作業用接地板。
【発明の詳細な説明】
【技術分野】
【０００１】
この発明は、鉄塔の腕金に取り付けられる架空送電線作業用接地板に関するものである。
【背景技術】
【０００２】
架空送電線の点検や電気工事は、点検箇所や工事箇所を停電状態にして作業が行われるが、停電作業時でも架空送電線に誘導電流が誘起される場合がある。そこで、従来から、架空送電線の点検や電気工事は、架空送電線に誘起される誘導電流による作業者の感電事故を防止するため、鉄塔の腕金に取り付けられた架空送電線作業用接地板（以下、接地板と適宜略称する）と架空送電線とをアース線で接続し、架空送電線の誘導電流をアース線、接地板、及び鉄塔を介して地中に逃がす（アースする）ようになっている（特許文献１（特に図２）参照）。
【先行技術文献】
【特許文献】
【０００３】
【特許文献１】特開２０１０−１１９１６５号
【発明の概要】
【発明が解決しようとする課題】
【０００４】
従来、鉄塔の腕金に接地板を取り付ける作業は、予め用意された接地板の複数のボルト取付穴（接地板側ボルト取付穴）の穴間隔及び穴径と合うように、腕金にドリル等でボルト取付穴（腕金側ボルト取付穴）を穴あけ加工し、腕金側ボルト取付穴及び接地板側ボルト取付穴にボルトの軸部を挿通して、接地板を腕金にボルト・ナットで締め付け固定している。しかしながら、鉄塔の腕金にボルト取付穴をドリルで穴あけ加工する作業は、高所での作業であるため、作業者の作業負担が大きく、接地板の腕金への取付作業が容易でないという問題を有していた。
【０００５】
そこで、本発明は、鉄塔の腕金への取付作業を容易に行えるようにした架空送電線作業用接地板を提供する。
【課題を解決するための手段】
【０００６】
本発明は、鉄塔２の腕金３に取り付けられ、架空送電線４にアース線２０を介して接続される架空送電線作業用接地板１に関するものである。この発明に係る架空送電線作業用接地板１は、前記架空送電線４の一端を支持する電線プレート５を前記腕金３の先端に固定する複数のボルト・ナット６を使用して、前記電線プレート５と共に前記腕金３の先端に締め付け固定されるようになっている。
【発明の効果】
【０００７】
本発明に係る接地板は、電線プレートを腕金の先端に固定する複数のボルト・ナットを使用して、電線プレートと共に腕金の先端に締め付け固定されるようになっているため、腕金に固定するためのボルト穴を腕金に新たに穴あけ作業する必要がなく、鉄塔の腕金への取付作業を容易に行うことができる。
【図面の簡単な説明】
【０００８】
【図１】本発明の実施例に係る架空送電線作業用接地板の取付状態を示す図であり、図１（ａ）は架空送電線作業用接地板と鉄塔の腕金との関係を簡略化して示す平面図、図１（ｂ）は図１（ａ）のＡ部の拡大図、図１（ｃ）は図１（ｂ）のＢ１方向から見た腕金先端側の側面図である。
【図２】図２（ａ）は本発明の実施例に係る架空送電線作業用接地板の平面図、図２（ｂ）は本発明の実施例に係る架空送電線作業用接地板の側面図、図２（ｃ）は第１変形例に係る架空送電線作業用接地板の平面図、図２（ｄ）は第２変形例に係る架空送電線作業用接地板の平面図である。
【図３】図３（ａ）は架空送電線の接地状態を示す腕金先端側の平面図であり、図３（ｂ）は図３（ａ）のＢ２方向から見た腕金先端側の側面図である。
【発明を実施するための形態】
【０００９】
以下、本発明の実施例を図面に基づき詳述する。
【００１０】
図１から図３に示すように、本発明の実施例に係る架空送電線作業用接地板１（以下、接地板と略称する）は、鉄塔２の腕金３の先端であって、架空送電線４の一端側を引き留めるように支持する電線プレート５が複数のボルト・ナット６で固定された腕金３の先端に一対のボルト・ナット６，６で固定されている。接地板１は、平面視した形状が矩形形状の薄板である。そして、この接地板１は、腕金３に固定される腕金固定部（斜線部）７と、接地端子８が取り付けられる接地端子取付部（斜線部以外の領域）１０と、を有している（図２（ａ）参照）。
【００１１】
接地板１の腕金固定部７には、電線プレート５を腕金３に固定する複数のボルト・ナット６のうちの隣り合う一対のボルト・ナット６，６のボルト６ａの軸部を係合するボルト穴（丸穴）１１が一対形成されている。また、接地板１の接地端子取付部１０は、架空送電線４の一端側に配置された電線設置部材１２（例えば、長幹がいし１３、アークホーン１４）との接触を考慮する必要がない場合、図１（ａ）及び図１（ｂ）に示すように平板状のままで腕金３に固定されるが、架空送電線４の一端側に配置された電線設置部材１２との接触を考慮する必要がある場合、電線設置部材１２との接触を避ける折り曲げ部分１５が適宜形成される。なお、本実施例における接地板１の接地端子取付部１０は、架空送電線４の一端側に配置された電線設置部材１２との接触を回避するため、折り曲げ部分１５が側辺１６に沿って折り曲げ形成されている。また、接地板１の接地端子取付部１０は、電線設置部材１２との接触を避けるためや、作業スペースを確保するために、一部（例えば、図１（ａ）の点線１７で区切る三角状部分１８）を切り欠いてもよい。
【００１２】
また、本実施例において、接地板１の接地端子取付部１０は、腕金３から前方に張り出した平板状部分（腕金固定部７から前方に延出した平板状部分）に接地端子８が固定されている。接地端子８は、架空送電線４に接続されるアース線２０の一端を固定するようになっており、上部のハンドル２１を回動操作することにより、接地板１の接地端子取付部１０に着脱可能に固定されている。なお、この接地端子８は、腕金３から側方に張り出した接地板１の接地端子取付部１０（例えば、折り曲げ部分１５）に着脱可能に固定してもよい。
【００１３】
以上のような接地板１は、電線プレート５を腕金３の先端に固定する複数のボルト・ナット６のうちの隣り合う一対のボルト・ナット６，６のナット６ｂ，６ｂをボルト６ａ，６ａから取り外し、ナット６ｂ，６ｂを取り外した一対のボルト６ｂ，６ｂの軸部に一対のボルト穴１１，１１を係合した後、ナット６ｂ，６ｂをボルト６ａ，６ａに螺合して、一対のボルト・ナット６，６で電線プレート５と共に腕金３に締め付け固定される。
【００１４】
腕金３の先端に固定された接地板１は、例えば、図３に示すように架空送電線４に電気的に接続される。すなわち、接地板１は、架空送電線４に取り付けられたアークホーン１４（長幹がいし１３の前方に取り付けられたアークホーン１４）と、このアークホーン１４を把持する接地棒２２の金属製フック２３と、この金属製フック２３に接続されたアース線２０と、このアース線２０の一端が固定される接地端子８と、を介して架空送電線４に電気的に接続され、架空送電線４の誘導電流を鉄塔２を介して地中に逃がす（アースする）ようになっている。なお、接地棒２２は、基端部２４（金属製フック２３が取り付けられた先端部と反対側の端部）が腕金３に紐、ロープ、又は粘着テープ等の固定手段２５で固定される。
【００１５】
以上のように、本実施例に係る接地板１は、架空送電線４の一端を支持する電線プレート５を腕金３の先端に固定する複数のボルト・ナット６のうちの一対のボルト・ナット６，６を使用して、電線プレート５と共に腕金３の先端に締め付け固定されるようになっているため、腕金３に固定するためのボルト穴を腕金３に新たに穴あけ作業する必要がなく、鉄塔２の腕金３への取付作業を容易に行うことができる。
【００１６】
（第１変形例）
図２（ｃ）は、第１変形例に係る接地板１の平面図である。この図２（ｃ）に示すように、本変形例に係る接地板１は、一対のボルト・ナット６，６のボルト６ａ，６ａの軸部を係合するボルト穴１１，１１が腕金固定部３に間隔を開けて一対形成されている。ボルト穴１１は、一対のボルト・ナット６，６の配列方向に沿って延びる長穴である。この一対のボルト穴１１，１１の一方は、一対のボルト穴１１，１１の他方の長手方向一端に係合されたボルト６ａの軸部を中心に腕金固定部３が回動させられた際に、ボルト６ａの軸部をボルト穴１１の長手方向一端側に案内するボルト案内溝２６が接続されている。ボルト案内溝２６は、平面視した形状が円弧形状であり、一端が一対のボルト穴１１，１１の一方の長手方向一端側に開口し、他端が腕金固定部７の側方（側辺１６側）に開口している。ボルト穴１１，１１は、ボルト６ａの軸部がボルト案内溝２６に沿ってボルト穴１１の一端側まで移動した後、接地板１が一対のボルト・ナット６，６の配列方向に沿って（前方へ向かって）移動させられると、ボルト６ａの軸部がボルト案内溝２６から外れる長さに形成された長穴である。
【００１７】
このような本変形例に係る接地板１は、一対のボルト穴１１，１１の一方に係合されるボルト６ａがナット６ｂを取り外すことなく（ナット６ｂと腕金３との間に接地板１を挿入する隙間ができる程度にナット６ｂが緩められるだけで）一対のボルト穴１１，１１の一方に係合させることができるため、鉄塔２の腕金３への取付作業を上記実施例に係る接地板１よりも容易に行うことができる。
【００１８】
（第２変形例）
図２（ｄ）は、第２変形例に係る接地板１の平面図であり、上記第１変形例に係る接地板１の変形例を示す図である。この図２（ｄ）に示すように、本変形例に係る接地板１は、一対のボルト穴１１，１１の他方は、一対のボルト穴１１，１１の一方の長手方向一端に係合されたボルト６ａの軸部を中心に腕金固定部７が回動させられた際に、ボルト６ａの軸部をボルト穴１１の長手方向一端側に案内するボルト案内溝２６が接続されている。このような本変形例に係る接地板１は、上記第１変形例に係る接地板１と同様の効果を得ることができる。
【符号の説明】
【００１９】
１……接地板（架空送電線作業用接地板）、２……鉄塔、３……腕金、４……架空送電線、５……電線プレート、６……ボルト・ナット、２０……アース線
【図１】
2020114131.tif 000003
【図２】
2020114131.tif 000004
【図３】
2020114131.tif 000005